(57)【特許請求の範囲】
【請求項１】
手動閉鎖装置（４）の外板（９）に閉鎖レバー（１０）の折曲部を枢着し、この閉鎖レバー（１０）の内端部にはカラー（１３）を回動すべく嵌合し、このカラー（１３）にシャッターのブレーキ装置に連結した紐体（１７）を固定し、この閉鎖レバー（１０）の隣接位置には手動で押す閉鎖ボタン（２０）を外板（９）に枢着し、爪（２２ａ）を有するロックレバー（２２）は外板（９）に枢着し、ロックレバー（２２）の内端部はこの閉鎖ボタン（２０）の内端部とリンク（２５）により連結し、上記閉鎖レバー（１０）にはこの爪（２２ａ）を係合すると共にスプリング（２９）により上記ロックレバー（２２）の爪（２２ａ）が閉鎖レバー（１０）と係合するように弾撥してなる建築用シャッターのブレーキ制御装置。
【請求項２】
手動閉鎖装置（４）の筐体を形成する外板（９）を建物等に固定した枠体（１）の手動閉鎖装置（４）を挿入する空間（５）に挿入し、この空間（５）の両側の取付板（６）の前縁に形成した耳（７）にはこの筐体を形成する外板（９）の前縁に形成した耳（８）を重ねてビスにより固定してなる請求項１記載の建築用シャッターのブレーキ制御装置。
【発明の詳細な説明】
【０００１】
【発明の属する技術分野】
本発明は建物等における建築用シャッターのブレーキ制御装置特にその手動閉鎖装置に関する。
【０００２】
【従来の技術】
従来、各種装置として実公平８−１０１６０号，特開平９−３２４５９０号等がある。
図４示のように建物等に固定した枠体１において、その蓋２の開閉縁３に沿った位置に手動閉鎖装置４を挿入する空間５には一対の取付板６，６を内方に延長させて設け、この取付板６，６に手動閉鎖装置４を固定し、またこの手動閉鎖装置４より延びるワイヤ等の紐体１７は建築用シャッターのブレーキを引っ張る様に連結し、非常時等で手動押しボタンを押すことにより、この紐体１７を手動で緩めることによりシャッターのブレーキを外し、シャッターを手動閉鎖していた。
【０００３】
而して実公平８−１０１６０号の手動閉鎖装置４は公報の符号を用いて説明すると、復帰レバー２４とこの復帰レバー２４にピン３０で枢着した上記図４示の紐体１７を連結する係止レバー２９とよりなり、この復帰レバー２４を上記図４示の取付板５，５に取り付ける内枠２６に回動すべくピン２８で枢着すると共に係止レバー２９の自由端に設けた係止ローラ３３を内枠２６のＬ型係止ガイド長孔３４内に係合し、係止レバー２９の自由端を直線方向に案内すると共に上記図４示の紐体１７を引っ張状態に保持していた。
【０００４】
この装置において、非常時には手動押しボタン２１を押すことにより、係止ガイド長孔３４と係止ローラ２７との係合を外し、上記図４示の紐体１７を手動で緩めることにより、建物等に組付けたシャッターのブレーキを外すと共に復帰レバー２４をはね上げていた。
【０００５】
また特開平９−３２４５９０号の手動閉鎖装置４も公報の符号を用いて説明すると、上記復帰レバー２４と係止レバー２９に夫々相当する操作レバー２１とインナーレバー２２とよりなり、インナーレバー２２は内枠２０の底面により直線方向に摺動案内すると共にロック体２３ａに係合し、上記図４示の紐体１７を引っ張状態に保持していた。
【０００６】
この装置において、非常時には手動押しボタン１９を押すことにより、インナーレバー２２とロック体２３ａとの係合を外し、建物等に組付けた上記図４示の紐体１７を手動で緩めることにより、シャッターのブレーキを外すと共に操作レバー２１をはね上げていた。
【０００７】
【発明が解決しようとする課題】
しかし、紐体１７を連結する実公平８−１０１６０号の復帰レバー２４と係止レバー２９或いは特開平９−３２４５９０号の操作レバー２１とインナーレバー２２は互いに枢着した２つのレバーよりなるので、その紐体１７を連結するレバーの運動の軌跡を直線運動にするため、実公平８−１０１６０号ではＬ型係止ガイド長孔３４或いは特開平９−３２４５９０号では内枠２０の底面を要し、構造が複雑であると共に手動閉鎖装置４の建物等に固定した枠体１への組み込が困難であった。また従来の装置では図４示のようにシャッターの上げ、止め、下げボタンＡ，Ｂ，Ｃ，の下に非常時には手動押しボタンＤを並べて設けていたので、誤操作し易かった。
【０００８】
本発明は１つの単純な形状の閉鎖レバー１０に紐体１７をカラー１３を介して連結するだけであるので、構造が簡単であると共に紐体１７の方向の変動に対応できるようにしたものである。
また本発明は手動閉鎖装置４の筐体を単純な形状にして、手動閉鎖装置４の建物等に固定した枠体１への組み込みを容易にしたものである。
また本発明は火災時に手動で作動する手動閉鎖装置４の閉鎖ボタン２０を自由位置に設置できるようにして誤操作を防止するものである。
【０００９】
【課題を解決するための手段】
本発明の請求項１は手動閉鎖装置４の外板９に閉鎖レバー１０の折曲部を枢着し、この閉鎖レバー１０の内端部にはカラー１３を回動すべく嵌合し、このカラー１３にシャッターのブレーキ装置に連結した紐体１７を固定し、この閉鎖レバー１０の隣接位置には手動で押す閉鎖ボタン２０を外板９に枢着し、爪２２ａを有するロックレバー２２は外板９に枢着し、ロックレバー２２の内端部はこの閉鎖ボタン２０の内端部とリンク２５により連結し、上記閉鎖レバー１０にはこの爪２２ａを係合すると共にスプリング２９により上記ロックレバー２２の爪２２ａが閉鎖レバー１０と係合するように弾撥してなる建築用シャッターのブレーキ制御装置である。
【００１０】
本発明の請求項２は手動閉鎖装置４の筐体を形成する外板９を建物等に固定した枠体１の手動閉鎖装置４を挿入する空間５に挿入し、この空間５の両側の取付板６の前縁に形成した耳７にはこの筐体を形成する外板９の前縁に形成した耳８を重ねてビスにより固定してなる請求項１記載の建築用シャッターのブレーキ制御装置である。
【００１１】
【発明の実施の形態】
図１は本発明の一実施の形態の概要を示す外面の斜視図、図２はその要部の側面図、図３はその分解斜視図で、図４示の従来技術と同じ部分は同じ符号を用いて説明する。
図１示のように建物等に固定した枠体１において、その蓋２の開閉縁３に沿った位置に手動閉鎖装置４を挿入する空間５を設け、空間５の両側には一対の取付板６，６を内方に延長させて設け、この取付板６，６に手動閉鎖装置４を固定する。
【００１２】
図２，３示のように、この手動閉鎖装置４の筐体を形成する外板９，９は空間５に挿入し、上記取付板６，６の一方の前縁に形成した孔のある耳７，７にはこの筐体を形成する一対の外板９，９の一方の同じ側の前縁に形成した孔のある耳８，８を重ね、その孔にビス等を挿入して固定する。この一対の外板９，９間には略Ｌ型の閉鎖レバー１０の折曲部を軸１１により枢着する。この閉鎖レバー１０の下端部の軸１２にはカラー１３を回動すべく嵌合し、このカラー１３に紐体１７を止め螺子１４により固定する。紐体１７は固定された外覆１７ａとその外覆１７ａの中で長手方向に摺動する心線１７ｂとよりなり、この外覆１７ａと心線１７ｂは外板９に固定したガイド１６を通して図示しないシャッターのブレーキ装置に連結する。
【００１３】
閉鎖レバー１０の下方の隣接位置には手動で押す閉鎖ボタン２０を上記一対の外板９，９間に軸２１により枢着する。爪２２ａを有するロックレバー２２は上記一対の外板９，９間に軸２３により枢着し、ロックレバー２２の内端部はこの閉鎖ボタン２０の内端部とピン２４，リンク２５，ピン２６により連結する。上記閉鎖レバー１０にはこの爪２２ａが係合するカラー２７を軸２８により回動すべく枢着すると共に上記リンク２４の凸部は引っ張りスプリング２９により図２示のように上記ロックレバー２２の爪２２ａがカラー２７と係合するように図２，３において下方に弾撥する。
【００１４】
次にこの装置の動作を説明する。図２，３において火災報知器、煙感知器等が作動した非常時に手動で閉鎖ボタン２０を図３の矢ａのように押すと、閉鎖ボタン２０は図の矢ｂで示すように時計方向に回動し、リンク２５はスプリング２９の弾力に抗して図２，３の矢ｃで示すように上方に作動し、ロックレバー２２は矢ｄ，ｅで示すように時計方向に回動し、爪２２ａはカラー２７より外れる。これによって、閉鎖レバー１０は開放されて矢ｆのように時計方向に回動し、上記紐体１７の心線１７ｂは緩んで、シャッターのブレーキの弾力により矢ｇのように作動し、シャッターのブレーキはシャッターより外れ、シャッターは自重により閉鎖する方向に下降すると共に手動閉鎖装置４の閉鎖レバー１０の上端部は図２の矢ｈのように回動し、図１の実線および図２の鎖線で示すようにはね上がる。
【００１５】
閉鎖レバー１０の上端部を手動で押して図２示の位置に戻すと、閉鎖レバー１０は反時計方向に回動し、紐体１７はシャッターのブレーキを引っ張り、ブレーキを作動させると共にスプリング２９の弾力によりロックレバー２２の爪２２ａは閉鎖レバー１０のカラー２７に係合し、次の動作に備えてリセットさせる。
【００１６】
而して建物等に固定した枠体１に手動閉鎖装置４を組み込むには手動閉鎖装置４の筐体を形成する外板９，９を枠体１に形成した取付板６，６の空間５に挿入し、取付板６，６の一方の前縁に形成した耳７，７にこの筐体を形成する一対の外板９，９の一方の同じ側の前縁に形成した耳８，８を重ねてビス等により固定すると、容易に建物等に固定した枠体１に手動閉鎖装置４を組み込むことが出来る。
【００１７】
【発明の効果】
以上のように本発明の請求項１では、手動閉鎖装置４の外板９に閉鎖レバー１０の折曲部を枢着し、この閉鎖レバー１０の内端部にはカラー１３を回動すべく嵌合し、このカラー１３にシャッターのブレーキ装置に連結した紐体１７を固定し、この閉鎖レバー１０の隣接位置には手動で押す閉鎖ボタン２０を外板９に枢着し、爪２２ａを有するロックレバー２２は外板９に枢着し、ロックレバー２２の内端部はこの閉鎖ボタン２０の内端部とリンク２５により連結し、上記閉鎖レバー１０にはこの爪２２ａを係合すると共にスプリング２９により上記ロックレバー２２の爪２２ａが閉鎖レバー１０と係合するように弾撥しているので、１つの単純な形状の閉鎖レバー１０に紐体１７をカラー１３を介して連結するだけであるから、構造が簡単であると共にカラー１３が回転することにより紐体１７の引っ張り方向の変動に対応出来、その紐体１７を連結するレバーの運動の軌跡を直線運動にするための機構を要しないものである。
また本発明は、火災時に手動で作動する手動閉鎖装置４の閉鎖ボタン２０は爪２２ａを作動すればよいので、自由な位置に設置でき、誤操作を防止できるものである。
【００１８】
また本発明の請求項２では、手動閉鎖装置４の筐体を形成する外板９を建物等に固定した枠体１の手動閉鎖装置４を挿入する空間５に挿入し、この空間５の両側の取付板６の前縁に形成した耳７にはこの筐体を形成する外板９の前縁に形成した耳８を重ねてビスにより固定するだけであるから、手動閉鎖装置４の建物等に固定した枠体１への組み込みが容易である。
【図面の簡単な説明】
【図１】本発明の一実施の形態の概要を示す外面の斜視図である。
【図２】その要部の側面図である。
【図３】その分解斜視図である。
【図４】従来の技術の分解斜視図である。
【符号の説明】
１．．．．．．．．枠体
４．．．．．．．．手動閉鎖装置
５．．．．．．．．空間
６．．．．．．．．取付板
７．．．．．．．．耳
８．．．．．．．．耳
９．．．．．．．．外板
１０．．．．．．．閉鎖レバー
１３．．．．．．．カラー
１７．．．．．．．紐体
２０．．．．．．．閉鎖ボタン
２２．．．．．．．ロックレバー
２２ａ．．．．．．爪
２５．．．．．．．リンク
２９．．．．．．．スプリング
【図１】
0003557396.tif 000002
【図２】
0003557396.tif 000003
【図３】
0003557396.tif 000004
【図４】
0003557396.tif 000005